【手続補正書】
【提出日】平成16年5月11日(2004.5.11)
【手続補正１】
【補正対象書類名】明細書
【補正対象項目名】特許請求の範囲
【補正方法】変更
【補正の内容】
【特許請求の範囲】
【請求項１】
沈胴位置と撮影位置との間を移動可能とするレンズ鏡筒と、収納位置とストロボ撮影位置との間を移動可能とするストロボ発光部と、モータの駆動力を回転方向に応じて前記レンズ鏡筒を移動させるための駆動と前記ストロボ発光部を移動させるための駆動とに切換える動力切換手段と、前記レンズ鏡筒が沈胴位置への移動を完了した後に、前記ストロボ発光部を収納位置へ移動させるように前記モータを駆動制御する制御手段とを有することを特徴とするカメラ。
【請求項２】
前記動力切換手段は、前記レンズ鏡筒を移動させる鏡筒駆動手段と、前記ストロボ発光部を移動させるストロボ駆動手段と、前記モータの駆動力を前記モータの回転方向に応じて前記鏡筒駆動手段に伝達する第１の位置と前記ストロボ駆動手段に伝達する第２の位置とに切換えられる切換部材とを有することを特徴とする請求項１に記載のカメラ。
【請求項３】
前記動力切換手段は、前記レンズ鏡筒を移動させる鏡筒駆動手段と、前記ストロボ発光部を移動させるストロボ駆動手段と、前記モータの駆動力を所定の非伝達区間を有して前記鏡筒駆動手段に常時伝達する動力常時伝達機構と、前記モータの駆動力を前記モータの回転方向に応じて前記ストロボ駆動手段に伝達しない第１の位置と前記ストロボ駆動手段に伝達する第２の位置とに切換えられる切換部材とを有することを特徴とする請求項１に記載のカメラ。
【請求項４】
前記切換部材を前記第１の位置に係止する係止手段と、前記係止手段の係止を解除する解除手段とを有することを特徴とする請求項２または３に記載のカメラ。
【請求項５】
前記動力常時伝達機構は、前記モータ側の動力が伝達される第１の伝達部材と、前記鏡筒駆動手段側に動力を伝達する第２の伝達部材とを回転可能に支持し、前記第１の伝達部材が所定の非伝達区間としての空転領域を回転して動力伝達部材同士の当接により前記第２の伝達部材と一体に回転するようにしたことを特徴とする請求項３に記載のカメラ。
【請求項６】
前記解除手段は、前記レンズ鏡筒の前面を覆う全閉位置とレンズ鏡筒を開放する全開位置との間で移動可能なバリアであることを特徴とする請求項４に記載のカメラ。
【請求項７】
前記解除手段は、前記レンズ鏡筒であることを特徴とする請求項４に記載のカメラ。
【請求項８】
前記解除手段は、前記レンズ鏡筒の沈胴動作に連動する解除部材であることを特徴とする請求項４に記載のカメラ。
【請求項９】
前記動力常時伝達機構は、前記鏡筒駆動手段側に設けられていることを特徴とする請求項３から５のいずれか１つに記載のカメラ。
【請求項１０】
前記動力常時伝達機構の動力伝達部材は、凸部または凹部に形成されていることを特徴とする請求項５に記載のカメラ。
【手続補正２】
【補正対象書類名】明細書
【補正対象項目名】００１８
【補正方法】変更
【補正の内容】
【００１８】
この場合、ストロボ発光部をバネ力によりストロボ撮影位置に向けて付勢するように構成し、モータ駆動力をストロボ駆動手段に伝達してストロボ発光部の収納動作を開始させることで、ストロボ発光部の収納方向への駆動が行われる。その際、ストロボ発光部の収納が終了するとモータ駆動も停止され、前記切換部材が第２の位置で停止させるようにしておけば、ストロボ発光部をガタつくことなく保持できることとなる。
【手続補正３】
【補正対象書類名】明細書
【補正対象項目名】００１９
【補正方法】変更
【補正の内容】
【００１９】
さらに、空転領域を有する動力常時伝達機構を有する形式では、空転中に切換部材を第２の位置に切換えることで、ストロボ発光部を収納位置へ移動でき、レンズ鏡筒の沈胴動作時の作動負荷を軽くすることができる。また、切換部材の切換ミスによるレンズ鏡筒への動作に支障を来すことがない。
【手続補正４】
【補正対象書類名】明細書
【補正対象項目名】００２２
【補正方法】変更
【補正の内容】
【００２２】
図１から図６において、１は沈胴位置と撮影位置との間で移動するレンズ鏡筒で、不図示のカメラ本体に取り付けられており、このレンズ鏡筒１は鏡筒駆動手段である鏡筒駆動歯車列２（２ａ〜２ｄ）の入力歯車２ｄと噛み合っており、鏡筒駆動歯車列２が回転することにより光軸方向に移動する。
【手続補正５】
【補正対象書類名】明細書
【補正対象項目名】００２５
【補正方法】変更
【補正の内容】
【００２５】
また、バリア３の右側面中央には、テーパー面を有する突起部（解除手段）３ｂが形成されており、この突起部３ｂは、図２に示すようにバリア３が全閉位置にある時、後述する係止部材２１と当接すると共に、係止部材２１を反時計方向に回転させ、後述する遊星レバー１９を解除するようになっている。
【手続補正６】
【補正対象書類名】明細書
【補正対象項目名】００２９
【補正方法】変更
【補正の内容】
【００２９】
鏡筒モーター１５は、光軸と平行に配置されており、この鏡筒モーター１５の出力軸には歯車１５ａが設けられ、減速歯車列１６（１６ａ〜１６ｃ）を介して太陽歯車１７と噛み合っている。この太陽歯車１７のカメラ本体に設けられている回転中心軸１８には、同中心軸１８回りに回動可能に切換部材である遊星レバー（動力切換手段）１９が取り付けられ、この遊星レバー１９と太陽歯車１７との間に不図示のコイルバネが設けられており、このコイルバネにより摩擦力が与えられ、遊星レバー１９は太陽歯車１７の回転と同方向に回動するとともに、遊星レバー１９の回動端部に回転可能に取付けられた遊星歯車（動力切換手段）２０が太陽歯車１７と噛み合う構成となっている。この遊星歯車２０は遊星レバー１９の回動に伴い、図１に示すように、鏡筒駆動歯車列２の入力歯車２ｄに噛み合う第１の位置と、図３から図５に示すようにストロボ駆動用歯車１１に噛み合う第２の位置とに切換えられるようになっている。
【手続補正７】
【補正対象書類名】明細書
【補正対象項目名】００３０
【補正方法】変更
【補正の内容】
【００３０】
また、遊星レバー１９の回動端部の先端には、係合部１９ａが形成されており、この係合部１９ａは、レンズ鏡筒１の近傍に設けられたレバー部材である係止部材２１に係止されるようになっている。遊星レバー１９の係合部１９ａの左端面部を図１に示すように、ストッパーとしての軸２２に当接させることにより、遊星歯車２０と鏡筒駆動歯車列２の入力歯車２ｄとの噛み合いが保証されるようになっている。また、遊星レバー１９の係合部１９ａの右端面部を図３から図５に示すようにストッパーとしての軸２３に当接させることにより、遊星歯車２０とストロボ駆動歯車１１との噛み合いが保証されるようになっている。
【手続補正８】
【補正対象書類名】明細書
【補正対象項目名】００４１
【補正方法】変更
【補正の内容】
【００４１】
この繰り出し動作は、鏡筒モーター１５の出力軸歯車１５ａが反時計方向に回転駆動することにより行う。この駆動力は、減速用歯車列１６を介して太陽歯車１７に伝達され、歯車１５ａと同方向に回転する。この時、太陽歯車１７と遊星レバー１９との間に設けられた不図示のコイルバネの摩擦力で、遊星レバー１９も同方向に回動する。そして、図６に示すように、この遊星レバー１９の回動に伴い、遊星レバー１９に取り付けられている遊星歯車２０とストロボ駆動用歯車１１との噛み合いが解除される。この時、ストロボ駆動用歯車１１は、フリー状態になることから、保持板８はチャージされているスプリング１３のスプリング力により上方向にスライドする。すなわち、ストロボ発光部６が収納位置からストロボ撮影位置に移動する。この時、ストロボ発光部６は保持板８の長孔８ａ，８ｂが軸９，１０に当接することで停止する。これにより、ストロボ発光部６のストロボ撮影位置への移動が完了する。
【手続補正９】
【補正対象書類名】明細書
【補正対象項目名】００４２
【補正方法】変更
【補正の内容】
【００４２】
更に、反時計方向に回動している遊星レバー１９は、図１に示すように遊星レバー１９の係合部１９ａの左端面部が軸２２に当接し、遊星歯車２０が鏡筒駆動歯車列２と噛み合う第１の位置に切換えられる。この時、遊星レバー１９は係止部材２１の係止爪２１ａにより遊星レバー１９の係合部１９ａが係止される。従って、太陽歯車１７の回転力は遊星歯車２０を介して鏡筒駆動歯車列２に伝達される。この鏡筒駆動歯車列２の回転に伴い、レンズ鏡筒１の繰り出し動作が開始され、レンズ鏡筒１は沈胴位置から撮影位置に移動し、公知の位置検出手段１０３により撮影位置（ワイド端）が検出されることで、繰り出し動作を停止させる。これにより、レンズ鏡筒１の撮影位置への移動が完了する。
【手続補正１０】
【補正対象書類名】明細書
【補正対象項目名】００４６
【補正方法】変更
【補正の内容】
【００４６】
（第２の実施の形態）
図７から図１１は本発明の第２の実施の形態を示したものである。
【手続補正１１】
【補正対象書類名】明細書
【補正対象項目名】００４８
【補正方法】変更
【補正の内容】
【００４８】
図７はバリア３が全開し、ストロボ発光部６がストロボ撮影位置に上昇した状態を示す正面図、図８はバリア３が全閉し、ストロボ発光部６が収納された状態を示す正面図、図９は図７の部分右側面図で、解除部材４０を示している。図１０はレンズ鏡筒１が撮影位置にある状態を示すレンズ鏡筒１の部分断面図で、遊星レバー１９が係止された状態を示し、図１１はレンズ鏡筒１が沈胴位置にある状態を示すレンズ鏡筒１の部分断面図で、遊星レバー１９が解除された状態を示している。
【手続補正１２】
【補正対象書類名】明細書
【補正対象項目名】００５１
【補正方法】変更
【補正の内容】
【００５１】
回転筒４３の外周には、不図示の歯車と、ヘリコイドネジ４３ｂが形成され、前記不図示の歯車、鏡筒駆動歯車列２と噛み合っている。また、ヘリコイドネジ４３ｂは、固定筒４２の内周に形成されたヘリコイドネジ４２ｄと螺合するようになっている。
【手続補正１３】
【補正対象書類名】明細書
【補正対象項目名】００５３
【補正方法】変更
【補正の内容】
【００５３】
以下に上記した本実施の形態の解除部材４０の動作について説明する。他の動作については第１の実施の形態と同じなので、省略又は簡略に説明する。
【手続補正１４】
【補正対象書類名】明細書
【補正対象項目名】００５５
【補正方法】変更
【補正の内容】
【００５５】
この沈胴動作は、鏡筒モーター１５の出力軸歯車１５ａが時計方向に回転することにより行う。駆動力は、減速用歯車列１６を介して太陽歯車１７に伝達され、歯車１５ａと同方向に回転する。この時、係止部材２１の係止爪２１ａにより遊星レバー１９の係合部１９ａが係止されているため、遊星レバー１９の回動が阻止される。従って、太陽歯車１７の回転力は図７に示すように遊星歯車２０を介して鏡筒駆動歯車列２に伝達される。この鏡筒駆動歯車列２の回転に伴い、回転筒４３は固定筒４２のヘリコイドネジ４２ｄに沿って、図１０において下方向（撮影位置から沈胴位置）に移動し、公知の位置検出手段１０３により沈胴位置が検出されることで、沈胴動作が停止される。これにより、レンズ鏡筒１の沈胴位置への移動が完了する。
【手続補正１５】
【補正対象書類名】明細書
【補正対象項目名】００５６
【補正方法】変更
【補正の内容】
【００５６】
この沈胴動作に連動して、解除部材４０は、スプリング４１をチャージしながら回転筒４３の端部４３ａに追従して回転筒４３と同方向に移動する。この解除部材４０の移動に伴い、図１１に示すように係止部材２１は軸２４を中心に反時計方向に回動し、係止部材２１の係止爪２１ａに係止されていた遊星レバー１９の係合部１９ａが解除される。解除された遊星レバー１９は時計方向に回動し、遊星歯車２０がストロボ駆動歯車１１と噛み合う第２の位置に切換えられ、ストロボ収納動作に入る。
【手続補正１６】
【補正対象書類名】明細書
【補正対象項目名】００６０
【補正方法】変更
【補正の内容】
【００６０】
この繰り出し動作は、鏡筒モーター１５の出力軸歯車１５ａが反時計方向に回転駆動することにより行う。この駆動力は、減速歯車１６を介して太陽歯車１７に伝達され、歯車１５ａと同方向に回転する。この時、遊星レバー１９は係止部材２１から解除されているので、太陽歯車１７と遊星レバー１９との間に設けられた不図示のコイルバネの摩擦力で、太陽歯車１７と同方向に回動する。この遊星レバー１９の回動に伴い、遊星レバー１９に取り付けられている遊星歯車２０とストロボ駆動歯車１１との噛み合いが解除され、ストロボ発光部６はチャージされているスプリグ１３のスプリング力により、収納位置からストロボ撮影位置に移動する。このストロボ発光部６は保持板８の長孔８ａ，８ｂが軸９，１０に当接することで停止する。これにより、ストロボ発光部６のストロボ撮影位置への移動が完了する。
【手続補正１７】
【補正対象書類名】明細書
【補正対象項目名】００６５
【補正方法】変更
【補正の内容】
【００６５】
本実施の形態のバリア３は、カメラ本体を覆うカバーに配置されたものであるが、レンズ鏡筒１内にバリア３を配置しても良い。また、バリア３の移動に連動させて鏡筒モーター１５を駆動させているが、メインのＳＷのＯＮ／ＯＦＦに連動させて鏡筒モーター１５を駆動させても良い。
【手続補正１８】
【補正対象書類名】明細書
【補正対象項目名】００６６
【補正方法】変更
【補正の内容】
【００６６】
（第３の実施の形態）
図１８から図２０は、上述の第１の実施の形態のバリア閉動作及びバリア開動作を示したものである。
【手続補正１９】
【補正対象書類名】明細書
【補正対象項目名】００６７
【補正方法】削除
【補正の内容】
【手続補正２０】
【補正対象書類名】明細書
【補正対象項目名】００６８
【補正方法】削除
【補正の内容】
【手続補正２１】
【補正対象書類名】明細書
【補正対象項目名】００７２
【補正方法】変更
【補正の内容】
【００７２】
図１９から図２０は第１の実施の形態のフローチャートである。バリア閉動作及びバリア開動作をフローチャートに沿って説明する。なお、上述の第２の実施の形態の該動作は本実施の形態と同様であり、図１８に示すカメラの回路も同様に適用される。
【手続補正２２】
【補正対象書類名】明細書
【補正対象項目名】００７６
【補正方法】変更
【補正の内容】
【００７６】
（第４の実施の形態）
図１２から図１７、図２１は本発明の第４の実施の形態を示したものである。
【手続補正２３】
【補正対象書類名】明細書
【補正対象項目名】００７８
【補正方法】変更
【補正の内容】
【００７８】
図１２はバリア３が全開し、ストロボ発光部６がストロボ撮影位置に上昇した状態を示す正面図、図１３は動力常時伝達機構の構成を示す側面図、図１４はバリア３が全閉し、ストロボ発光部６が収納された状態を示す正面図、図１５はレンズ鏡筒１がテレ駆動或いはテレ駆動状態で停止している時の動力常時伝達機構の状態を示す正面図、図１６はレンズ鏡筒１がワイド駆動或いはワイド駆動状態で停止している時の動力常時伝達機構の状態を示す正面図、図１７は動力切換手段がストロボ駆動歯車１１に切換わる直前（Ａ点）と、ストロボ発光部６が収納完了した時（Ｂ点）の動力常時伝達機構の状態を示す正面図である。
【手続補正２４】
【補正対象書類名】明細書
【補正対象項目名】００９５
【補正方法】変更
【補正の内容】
【００９５】
更に、ストロボ発光部６の収納動作が完了した後、前記動力切換手段がストロボ駆動側に伝達された位置にあるので、ストロボ発光部６のガタを吸収することができる。
【手続補正２５】
【補正対象書類名】明細書
【補正対象項目名】００９７
【補正方法】変更
【補正の内容】
【００９７】
図２１は本実施の形態のフローチャートである。バリア開動作は第１の実施の形態と同じであるためフローチャート及び説明を省略し、バリア閉動作についてのみフローチャートに沿って説明し、本実施の形態のカメラの回路は上述の第３の実施の形態の図１８と同様である。
【手続補正２６】
【補正対象書類名】明細書
【補正対象項目名】図面の簡単な説明
【補正方法】変更
【補正の内容】
【図面の簡単な説明】
【図１】
本発明の第１の実施の形態でバリアが全開し、ストロボ発光部がストロボ撮影位置に上昇した状態を示す正面図。
【図２】
本発明の第１の実施の形態でバリアが全閉し、係止部材が解除された状態を示す正面図。
【図３】
本発明の第１の実施の形態で動力切換手段がストロボ駆動歯車に切換えられた状態を示す正面図。
【図４】
本発明の第１の実施の形態でストロボ発光部が収納された状態を示す正面図。
【図５】
本発明の第１の実施の形態でバリアが開いている状態を示す正面図。
【図６】
本発明の第１の実施の形態で動力切換手段が鏡筒駆動歯車に切換わっている状態を示す正面図。
【図７】
本発明の第２の実施の形態でバリアが全開し、ストロボ発光部がストロボ撮影位置に上昇した状態を示す正面図。
【図８】
本発明の第２の実施の形態でバリアが全閉し、ストロボ発光部が収納された状態を示す正面図。
【図９】
本発明の第２の実施の形態で図７の部分右側面図で、解除部材を示す。
【図１０】
本発明の第２の実施の形態でレンズ鏡筒が撮影位置にある状態を示すレンズ鏡筒の部分断面図で、切換え部材が係止された状態を示す。
【図１１】
本発明の第２の実施の形態でレンズ鏡筒が沈胴位置にある状態を示すレンズ鏡筒の部分断面図で、切換部材が解除された状態を示す。
【図１２】
本発明の第４の実施の形態でバリアが全開し、ストロボ発光部がストロボ撮影位置に上昇した状態を示す正面図。
【図１３】
本発明の第４の実施の形態で動力伝達機構の構成を示す側面図。
【図１４】
本発明の第４の実施の形態でバリアが全閉し、ストロボ発光部が収納された状態を示す正面図。
【図１５】
本発明の第４の実施の形態でレンズ鏡筒がテレ駆動或いはテレ駆動状態で停止している時の動力常時伝達機構の状態を示す正面図。
【図１６】
本発明の第４の実施の形態でレンズ鏡筒がワイド駆動或いはワイド駆動状態で停止している時の動力常時伝達機構の状態を示す正面図。
【図１７】
本発明の第４の実施の形態で動力切換え手段がストロボ駆動歯車に切換わる直前（Ａ点）と、ストロボ発光部が収納完了した時（Ｂ点）の動力常時伝達機構の状態を示す正面図。
【図１８】
本発明の第３の実施の形態であるカメラの回路を示すブロック図。
【図１９】
本発明の第３の実施の形態であるバリア閉じ動作のフローチャート。
【図２０】
本発明の第３の実施の形態であるバリア開き動作のフローチャート。
【図２１】
本発明の第４の実施の形態であるバリア閉じ動作のフローチャート。
【手続補正２７】
【補正対象書類名】図面
【補正対象項目名】図１
【補正方法】変更
【補正の内容】
【図１】
1998312015.tif 000001
【手続補正２８】
【補正対象書類名】図面
【補正対象項目名】図１３
【補正方法】変更
【補正の内容】
【図１３】
1998312015.tif 000002